(57)【特許請求の範囲】
【請求項１】
プレス機械における上型ホルダに対して着脱可能の上金型において、上記上型ホルダに形成した係止部に対して係脱可能の係止部材を前記上金型の取付面に対して出没可能に設けると共に突出する方向へ付勢して設け、上記取付面に取付けた外筒の内面に端面カム状部材を設け、この外筒内に軸方向へ移動可能かつ相対的に回転可能に設けた内筒に、前記端面カム状部材に係合可能かつ端面カム状部材間の軸方向の係合溝に係合可能の傾斜カムを設けると共に上記内筒と前記係止部材とを連結して設け、前記内筒の傾斜カムを前記端面カム状部材および前記係合溝に対して係合離脱するためのガイドカムを前記外筒内に軸方向へ移動可能に設けてなることを特徴とするプレスにおける上金型。
【発明の詳細な説明】
【０００１】
【発明の属する技術分野】
本発明は、例えばプレスブレーキ等のごときプレスにおける上金型に係り、さらに詳細には着脱交換を容易に行うことのできる上金型に関する。
【０００２】
【従来の技術】
従来、プレスブレーキ等における上型ホルダに対して上金型を着脱交換する構成として、図７に示すごとき構成のものがある。
【０００３】
すなわち、上型ホルダ１０１の下部に下側へ開口して形成した係合溝１０３に係合した上金型１０５の上部の取付面に溝１０７を形成し、この溝１０７内に設けたスプリング１０９によって外方へ突出するように付勢された係止部材１１１の係止部１１１Ｋを、上型ホルダ１０１に形成した係止部としての係止溝１１３に落下しないように係止した構成である。
【０００４】
【発明が解決しようとする課題】
前記構成において、上型ホルダ１０１に対する上金型１０５の着脱交換は、先ず、上金型１０５を上型ホルダ１０１に固定した複数の固定ピン１１５を緩める。この際、係止部材１１１の係止部１１１Ｋが係止溝１１３に係止された状態にあり、上金型１０５は定位置に保持されている。
【０００５】
次に、スプリング１０９の付勢力に抗して係止部材１１１を溝１０７内に没入すると、係止部材１１１の係止部１１１Ｋが係止溝１１３から外れるので、上金型１０５を下方向へ取り外すことができる。
【０００６】
上述のごとく係止部材１１１を溝１０７内に没入せしめるときには、上金型１０５が自重によって落下しないように支える必要がある。この際、上金型１０５の左右方向（図７においては紙面に対して垂直な方向）の長さが短く、例えば係止部材１１１が１個である場合には問題ないが、上金型１０５の左右方向の長さが大きく、上金型１０５の複数箇所に係止部材１１１が設けられている構成においては、上金型１０５を支えながら複数の係止部材１１１を同時に操作して係止溝１１３から外さなければならず、操作が厄介であるという問題がある。
【０００７】
【課題を解決するための手段】
本発明は上述のごとき従来の問題に鑑みてなされたもので、プレス機械における上型ホルダに対して着脱可能の上金型において、上記上型ホルダに形成した係止部に対して係脱可能の係止部材を前記上金型の取付面に対して出没可能に設けると共に突出する方向へ付勢して設け、上記取付面に取付けた外筒の内面に端面カム状部材を設け、この外筒内に軸方向へ移動可能かつ相対的に回転可能に設けた内筒に、前記端面カム状部材に係合可能かつ端面カム状部材間の軸方向の係合溝に係合可能の傾斜カムを設けると共に上記内筒と前記係止部材とを連結して設け、前記内筒の傾斜カムを前記端面カム状部材および前記係合溝に対して係合離脱するためのガイドカムを前記外筒内に軸方向へ移動可能に設けてなることを特徴とするものである。
【０００９】
【発明の実施の形態】
図１を参照するに、プレス機械（図示省略）における上型ホルダ１（従来の上型ホルダと同一構成であるから詳細は図示省略）の下部に下側へ開口して形成した係合溝３内には上金型５の上部が上下方向に係合離脱可能に係合されている。なお、上型ホルダ１の構成および上型ホルダ１に対する上金型５の係合部分の構成は前述した従来の構成と同一であるが、概略的に説明する。
【００１０】
上金型５の取付面には従来と同様に溝７が形成してあり、この溝７内には内装したスプリング９によって外方向へ突出するように付勢された係止部材１１が設けられている。この係止部材１１は、上型ホルダ１に形成した係止部としての係止溝１３に対して係脱可能のフック部１５を上端部に備え、下端部に操作杆１７を備えた構成である。
【００１１】
前記係止部材１１を上金型５の取付面から没入した状態にロック可能のロック装置１８が設けてある。すなわち、上金型５の取付面には外筒１９が水平に取付けてあり、この外筒１９内には、複数の端面カム状部材２１が適宜間隔に設けてある。上記端面カム状部材２１は、上金型５側の端面を傾斜面２１Ｓに形成すると共に、この傾斜面２１Ｓの一側部に端面が同方向へ傾斜した突出部２１Ｐを備えた構成であって、各端面カム状部材２１の間には軸方向に係合溝２３が形成してある。なお、端面カム状部材２１は予め円筒形状に形成することもできるものである。
【００１２】
前記外筒１９内には内筒２５が軸方向へ移動可能かつ相対的に回動可能に嵌合してある。上記内筒２５は、前記係合溝２３に係合可能のガイドリブ２７を周面に突出して備えた形状をなしており、このガイドリブ２７の上金型５と反対側の端面には周方向に傾斜した傾斜カム面２７Ｃが形成してある。そして、上記内筒２５と前記係止部材１１の操作杆１７は、軸方向（図１において左右方向）には一体的に移動するが、軸心回りには相対的に回転可能であるように適宜に連結してある。
【００１３】
前記外筒１９に対して前記内筒２５を軸方向に移動し、また軸心回りに回動して、前記端面カム状部材２１の傾斜面２１Ｓおよび係合溝２３に対して係合離脱するために、前記外筒１９内にはガイドカム２９の一端側が軸方向に移動可能に嵌入してある。このガイドカム２９は円筒形状をなしており、前記内筒２５と対向した内端部とは、図４に示すように、山部３１および谷部３３が等間隔に形成してある。
【００１４】
上記ガイドカム２９の山部３１と谷部３３との間に形成された傾斜面３５は、前記内筒２５におけるガイドリブ２７の端面に形成した傾斜カム面２７Ｃと係合可能に設けてある。なお、上記ガイドカム２９における山部３１は前記端面カム状部材２１の間の係合溝２３に対応するように設けられている。
【００１５】
以上のごとき構成において、外筒１９を展開すると共に内筒２５を展開し、かつガイドカム２９を展開して、端面カム状部材２１，係合溝２３と内筒２５におけるガイドリブ２７とガイドカム２９の山部３１と谷部３３との関係を概念的に示すと、図５に示すようになる。
【００１６】
ここで、上金型５に備えた係止部材１１がスプリング９によって押圧され、そのフック部１５が上型ホルダ１の係止溝１３に係止された状態においては、図６（Ａ）に示すように、内筒２５のガイドリブ２７は端面カム状部材２１の係合溝２３に係合した状態にある。
【００１７】
したがって、前記係止溝１３と係止部材１１のフック部１５との係止状態を解除するには、図１においてガイドカム２９を左方向へ押圧する。上述のようにガイドカム２９を押圧すると、図６（Ａ）に示すように、ガイドカム２９の端面の傾斜面３５がガイドリブ２７の傾斜面２７Ｃに当接し、内筒２５を左方向へ押圧し、上記ガイドリブ２７を係合溝２３から離脱する［図６（Ｂ）］。
【００１８】
図６（Ｂ）に示すように、内筒２５のガイドリブ２７が端面カム状部材２１の係合溝２３から離脱されると、ガイドカム２９の端面の傾斜面３５とガイドリブ２７の傾斜カム面２７Ｃとが当接していることにより、相対的な滑りを生じ、内筒２５のガイドリブ２７は、端面カム状部材２１における傾斜面２１Ｓと対向することになる。その後、ガイドカム２９の押圧を解除すると、スプリング９の作用により、係止部材１１を介して内筒２５が図６において右方向へ移動され、ガイドリブ２７の傾斜カム面２７Ｃは、図６（Ｃ）に示すように、端面カム状部材２１の傾斜面２１Ｓに係合することになる。
【００１９】
上述のように、ガイドリブ２７の傾斜カム面２７Ｃが端面カム状部材２１の傾斜面２１Ｓに係合した状態においては、係止部材１１におけるフック部１５は溝７内に没入されて上型ホルダ１の係止溝１３との係止状態が解除された状態にある。したがって、上金型５に備えた複数箇所のガイドカム２９を次々に外筒１９内へ押圧して同様の操作を行うことにより、複数箇所の係止部材１１と係合溝１３との係止が解除されることとなり、上型ホルダ１から上金型５を下方向に取り外すことができるものである。
【００２０】
上述のごとく上型ホルダ１から上金型５を取り外した後、各ガイドカム２９を外筒１９内へ再び押圧して内筒２５のガイドリブ２７を再び押圧し大きく移動すると、上記ガイドリブ２７は端面カム状部材２１における突出部２１Ｐを乗り越えることとなり、初期の状態（図６（Ａ）の状態）に復帰することになる。
【００２１】
既に理解されるように、上金型５の複数箇所に設けた外筒１９に対してガイドカム２９を押圧操作することにより、複数箇所に備えた係止部材１１におけるフック部１５を上型ホルダ１における係止溝１３から順次外した状態に保持することができ、上型ホルダ１からの上金型５の取り外しを容易に行うことができるものであり、前記ガイドカム２９を再度押圧操作することにより初期状態に復帰することができ、上型ホルダ１に対する上金型５の着脱交換を容易に行うことができるものである。
【００２２】
【発明の効果】
以上のごとき説明より理解されるように、請求項１に係る発明は、プレス機械における上型ホルダに対して着脱交換可能の上金型において、上記上型ホルダに形成した係止部に対して係脱可能の係止部材を前記上型の取付面に対して出没可能に設け、上記取付面に対して前記係止部材を没入状態にロック可能のロック装置を前記取付面に設けてなるものであるから、上金型の複数箇所に係止部材が設けてある場合であっても、上型ホルダに対する上金型の取り外しを容易に行うことができるものである。
【００２３】
請求項２に係る発明は、プレス機械における上型ホルダに対して着脱可能の上金型において、上記上型ホルダに形成した係止部に対して係脱可能の係止部材を取付面に対して出没可能に設けると共に突出する方向へ付勢して設け、上記取付面に取付けた外筒の内面に端面カム状部材を設け、この外筒内に軸方向へ移動可能かつ相対的に回転可能に設けた内筒に、前記端面カム状部材に係合可能かつ端面カム状部材間の軸方向の係合溝に係合可能の傾斜カムを設けると共に上記内筒と前記係止部材とを連結して設け、前記内筒の傾斜カムを前記端面カム状部材および前記係合溝に対して係合離脱するためのガイドカムを前記外筒内に軸方向へ移動可能に設けてなるものであるから、上金型の複数箇所に係止部材を設けた構成であっても、上型ホルダに対する上金型の着脱交換を容易に行うことができるものである。
【図面の簡単な説明】
【図１】プレスにおける上金型の主要部分を示す断面説明図である。
【図２】端面カム状部材の配置および形状を示す説明図である。
【図３】内筒の説明図である。
【図４】ガイドカムの端部形状を示す傾斜図である。
【図５】主要部分を展開した状態で示した説明図である。
【図６】主要部分の作用説明図である。
【図７】従来の構成を示す説明図である。
【符号の説明】
１  上型ホルダ
３  係合溝
５  上金型
７  溝
１１  係止部材
１３  係止溝
１５  フック部
１７  操作杆
１９  外筒
２１  端面カム状部材
２３  係合溝
２５  内筒
２７  ガイドリブ
２９  ガイドカム
３１  山部
３３  谷部
【図１】
0003841911.tif 000002
【図２】
0003841911.tif 000003
【図３】
0003841911.tif 000004
【図４】
0003841911.tif 000005
【図５】
0003841911.tif 000006
【図６】
0003841911.tif 000007
【図７】
0003841911.tif 000008